(57)【特許請求の範囲】
【請求項１】
少なくとも１以上の階を有する建物の主架構を構成して外部床部を支持する梁と、
前記外部床部を有する階の階高の半分よりも高く構成され、前記梁上に支持される外壁部と、を備え、
前記外壁部は、
前記梁上に組み上げられて該梁を介してのみ前記主架構に連結されるフレーム体と、
前記フレーム体に上端部を支持されると共に下端部を前記梁に支持される複数の外壁版と、を有し、
前記フレーム体は、
前記外部床部上に立設される本体部と、
前記本体部の端部又は中途部から有角状に突出した状態で前記外部床部上に立設される控部と、有し、
前記外壁部は、その端部が自立している状態で、独立して立ち上がっていることを特徴とする建物の外壁支持構造。
【請求項２】
前記外壁版は、前記フレーム体に上端部をロッキング可能に支持されることを特徴とする請求項１に記載の外壁支持構造。
【請求項３】
前記フレーム体の前記本体部は、
前記梁上に固設される複数の主支柱と、
前記主支柱に支持され、前記梁の上方で延在する主横架材と、を備え、
前記控部は、
前記複数の主支柱に対向する位置で前記梁上に固設される控支柱と、
前記控支柱と前記主支柱間に架け渡される控横架材と、を備えており、
前記主横架材と前記控横架材は、前記主支柱や前記控支柱の外面よりも外方となる位置で前記外壁版をロッキング支持する外壁版支持部を備えていることを特徴とする請求項２に記載の外壁支持構造。
【請求項４】
前記控部は、前記控支柱と前記主支柱に亘って設けられる耐震要素を備えていることを特徴とする請求項３に記載の外壁支持構造。
【請求項５】
前記フレーム体の前記本体部は、前記主支柱に亘って設けられる耐震要素を備えていることを特徴とする請求項３に記載の外壁支持構造。
【請求項６】
前記主横架材と前記控横架材は、前記外壁版の上端部裏面に対向して前記外壁版支持部を平板状に備えると共に、前記外壁版支持部の上端部から突出して前記外壁版の上端面を覆う鍔部を備えていることを特徴とする請求項３乃至請求項５のいずれかに記載の外壁支持構造。
【請求項７】
前記フレーム体の前記本体部は、１又は複数位置で平面視クランク状に折れ曲がって形成されていることを特徴とする請求項２〜６のいずれか一項記載の外壁支持構造。
【発明の詳細な説明】
【技術分野】
【０００１】
本発明は、建物の外壁支持構造に関する。
【背景技術】
【０００２】
従来、住宅建物の外壁を形成する外壁パネルの固定は、下端を当該外壁パネルの下方に設けられる梁上に載置すると共に、上端を外壁固定金物で当該外壁パネルの上方に位置する梁に接合する上下２面の固定方式によって行われていた。かかる固定方法を、例えば当該上下一対の梁間に相当する高さを有していない腰壁などに採用する場合には、上端を固定するための外壁固定金物が大型化して当該上端部と上側の梁間の空間を占めることとなる。従って、腰壁などには当該固定方法を適用し難いという問題がある。
【０００３】
かかる問題を解決すべく、例えば特許文献１の外壁支持構造は、ベランダ等の立上がり壁の手摺付きＡＬＣ壁の支持構造において、パネルはその横幅方向の略中心部で、且つ高さ方向の下部と中間部とがパネル取付金具を介して躯体（主架構）に取付けられることにより支持されているとともに、パネルの側方小口面同士が摺動可能に直接当接されている。
【先行技術文献】
【特許文献】
【０００４】
【特許文献１】特開２０００―１２９７７３号公報
【発明の概要】
【発明が解決しようとする課題】
【０００５】
上記の特許文献１の構成にあっては、主架構の梁に壁をロッキング支持させる構成であるため、少なくとも主架構の梁の側面（ウェブ）に対向させた状態で壁版を設置する必要が生じる。このため、当該壁は、建物の最外縁に設置される梁に対してのみしか設置することができず（すなわち、建物の外壁と同一面にしか設置することができず）、例えば、ベランダ等の外部床部の最外縁からやや中ほどに外壁を設置したり、当該外壁を最外縁とは別の位置で折り込んだりすることができず、設計の自由度を下げるものとなる問題があった。
【０００６】
本発明は、このような問題を解決するためになされたものであり、建物のベランダ等の外部床部に設置される外壁を当該外部床部の最外縁に設置することはもちろん、最外縁以外の場所にも設置可能として、設計の自由度を高めることができる外壁の支持構造を提供することを目的とする。
【課題を解決するための手段】
【０００７】
本発明に係る外壁支持構造は、少なくとも１以上の階を有する建物の主架構を構成して外部床部を支持する梁と、外部床部を有する階の階高の半分よりも高く構成され、梁上に支持される外壁部と、を備え、外壁部は、梁上に組み上げられて該梁を介してのみ主架構に連結されるフレーム体と、フレーム体に上端部をロッキング可能に支持されると共に下端部を梁に支持される複数の外壁版と、を備えていることを特徴とする。
【０００８】
本発明に係る外壁支持構造によれば、フレーム体は外部床部を支持する梁上に設置され、当該梁のみを介して主架構に連結される。従って、当該梁が外部床部の最外縁となる位置に設けられている場合には最外縁上にフレーム体が立設され、当該梁よりも中ほどの梁上にフレーム体を設置する場合には、フレーム体は、当該外部床部のやや中ほどとなる位置に立設することができる。すなわち、従来の如く建物の外壁と同一面内に外壁部を形成することができることはもちろん、建物外壁とは無関係の位置（セットバックした位置）に設置することも可能となる。また、当該フレーム体に外壁版がロッキング支持されることとなるので、外壁版は、外部床部上でロッキング可能となり、せいの高い（外部床部を有する階の階高の半分よりも高い）外壁部に入力される風荷重や地震等に起因する水平荷重は外壁部内で受け流され、主架構に過大に荷重が入力されることを防止することができるものとなっている。
【０００９】
また、本発明に係る外壁支持構造において、フレーム体は、外部床部上に立設される本体部と、本体部の端部又は中途部から有角状に突出した状態で外部床部上に立設される控部と、を備えていることが好ましい。この構造によれば、本体部の面外方向に作用する風荷重に対し控部で抵抗することができ、外壁の支持力を高めることができるものとなる。
【００１０】
また、本発明に係る外壁支持構造において、フレーム体の本体部は、梁上に固設される複数の主支柱と、主支柱に支持され、梁の上方で延在する主横架材と、を備え、控部は、複数の主支柱に対向する位置で梁上に固設される控支柱と、控支柱と主支柱間に架け渡される控横架材と、を備えており、主横架材と控横架材は、主支柱や控支柱の外面よりも外方となる位置で外壁版をロッキング支持することが好ましい。この構造によれば、主支柱や控支柱の外面を外壁版によって覆うことができるものとなり、その結果、外壁版を主横架材や控横架材に沿って連続的に並べることによってフレーム体を複数の外壁版で覆うことができるものとなる。
【００１１】
また、本発明に係る外壁支持構造において、控部は、控支柱と主支柱に亘って設けられる耐震要素を備えていることが好ましい。この構造によれば、控部の剛性を高めることができるものとなる。
【００１２】
また、本発明に係る外壁支持構造において、フレーム体の本体部は、主支柱に亘って設けられる耐震要素を備えていることが好ましい。この構造によれば、本体部の面内方向の剛性をさらに高めることができるものとなる。
【００１３】
また、本発明に係る外壁支持構造において、主横架材と控横架材は、外壁版の上端部裏面に対向して外壁版支持部を平板状に備えると共に、外壁版支持部の上端部から突出して外壁版の上端面を覆う鍔部を備えていることが好ましい。この構造によれば、主横架材と控横架材は長手方向に鍔部を備えることとなり、面外方向への曲げに対する抵抗力が高められる。これによって、外壁版の表面に垂直に作用する風荷重に有効に抗することができ、その結果、当該横架材を支持する控部や支柱の数を削減することができるものとなっている。
【００１４】
また、本発明に係る外壁支持構造において、フレーム体の本体部は、１又は複数位置で平面視クランク状に折れ曲がって形成されていることが好ましい。この構造によれば、本体部が２方向の面を有することとなるので、本体部自体の剛性を高めることができ、控部の数を削減することができるものとなる。
【発明の効果】
【００１５】
本発明によれば、外部床部に設置される外壁部の設計の自由度を高めることができる。
【図面の簡単な説明】
【００１６】
【図１】本発明の実施形態に係る外壁支持構造の外観を示す斜視図である。
【図２】図１に示す外壁支持構造の架構を模式的に示すモデル図である。
【図３】図１に示すＩＩＩ−ＩＩＩ線に沿った断面図である。
【図４】図２に示すＶＩの方向からフレーム体を見た図である。
【図５】図１に示すＶ−Ｖ線に沿った断面図であって、外壁部の上端部と下端部を拡大した拡大断面図である。
【図６】主横架材と主支柱との取付構造を斜め下方向から見た図である。
【図７】上方から見たときの外壁部の形状を示すモデル図である。
【図８】上方から見たときの変形例に係る外壁部の形状を示すモデル図である。
【発明を実施するための形態】
【００１７】
以下、本発明の好適な実施形態について図面を参照しながら説明する。
【００１８】
図１は、本発明の実施形態に係る外壁支持構造の外観を示す斜視図である。図２は、図１に示す外壁支持構造の架構を模式的に示すモデル図である。図３は、図１に示すＩＩＩ−ＩＩＩ線に沿った断面図である。図４は、図２に示すＶＩの方向からフレーム体を見た図である。図５は、図１に示すＶ−Ｖ線に沿った断面図であって、外壁部の上端部と下端部を拡大した拡大断面図である。図６は、主横架材と主支柱との取付構造を斜め下方向から見た図である。図１，２に示すように、本実施形態に係る外壁支持構造１は、少なくとも１以上の階を有する建物１００のベランダ１０１などに設けられた外部床部１０２に適用される。外壁支持構造１は、建物１００の主架構を構成して外部床部１０２を支持する梁２と、当該梁２の上に支持される外壁部３と、を備えている。外壁部３は、平均的な大人の身長よりも高く設定されることが好ましい。外壁部３は、建物の外部床部１０２を有する階の階高の少なくとも半分以上が好ましく、２／３程度が好ましい。あるいは、外壁部３の長手方向の大きさは、１６０〜１９０ｃｍに設定することが好ましい。このような外壁部３により、隣接する建物からの視線が遮断される一方、採光を確保できるものとなっている。また、本実施形態では、ベランダ１０１全体が外壁部３で覆われているのではなく、一部が開放されているため、視線を遮断したい方向からは十分にプライバシーを保護する一方で、ベランダ１０１内を開放的な空間にすることができる。なお、建物の主架構とは、少なくとも建物の外壁や床を支持する梁と、該梁の端部を接続する柱とを備えるものであり、当該梁柱に加えて耐震壁やブレース等の耐震要素も含めた構成のことをいう。また、当該主架構の形式としては、梁と柱を中心としたラーメン構造のみならず、各階で梁を通して当該梁を各階の階高相当の高さを有する柱や耐震要素で支持する梁勝ち工法等も含む。
【００１９】
梁２は、ベランダ１０１において外部床部１０２を支持する梁である。具体的には、梁２は、外部床部１０２の外縁部を支持する大梁１１Ａ，１１Ｂ，１１Ｃ，１１Ｄと、外部床部１０２の内側に架設される小梁１２Ａ，１２Ｂと、を備えている。大梁１１Ａ，１１Ｂは、外部床部１０２の横方向の両側の外縁部を支持しており、ベランダ１０１の建物１００からの張り出し方向に、互いに平行となるように延びている。大梁１１Ｂ，１１Ｄは、外部床部１０２の先端側の外縁部を支持しており、ベランダ１０１へ出るための窓部Ｗが設けられた外壁１０４と平行となるように、互いに同一直線上に延びている。また、梁２は、各梁１１Ａ，１１Ｂ，１１Ｃ，１１Ｄ，１２Ａ，１２Ｂに架設された複数の小梁を備えている。
【００２０】
外壁部３は、梁２の上に立設されるフレーム体４と、フレーム体４に支持されて当該フレーム体４を包囲する包囲部６と、フレーム体４の上部を覆う蓋部７と、を備えている。フレーム体４は、梁２上に組み上げられており、当該梁２を介して建物１００の主架構に連結されている。包囲部６は、フレーム体４に上端部をロッキング可能に支持されると共に、下端部を梁２に支持される複数の外壁版５０によって主に構成されている。外壁版５０は、ＡＬＣパネルなどによって構成される。包囲部６の詳細な構成は後述する。
【００２１】
フレーム体４は、包囲部６を構成する外壁版５０を支持するための鉄骨部材によって構成されており、外部床部１０２の外縁部の延在方向に沿って延在する長尺な本体部１３Ａ，１３Ｂと、本体部１３Ａ，１３Ｂの端部又は中途部から有角状に延在する控部１４Ａ，１４Ｂと、を備える。本体部１３Ａ，１３Ｂは、外部床部１０２上に立設されている。控部１４Ａ，１４Ｂは、本体部１３Ａ，１３Ｂの端部又は中途部から有角状に突出した状態で外部床部１０２上に立設される。なお、図１では、フレーム体４は包囲部６で覆われて表には出ていないが、本体部１３Ａ，１３Ｂ、控部１４Ａ，１４Ｂの場所を特定するために符号を付している。
【００２２】
具体的には、本体部１３Ａは、外部床部１０２の先端側の外縁部の延在方向に沿って延在している。本体部１３Ａは、外部床部１０２の外縁部を支持する大梁１１Ｃ，１１Ｄ上に延びており、当該大梁１１Ｃ，１１Ｄの上に組み上げられている。本体部１３Ａの延在方向の一方の端部は、大梁１１Ｂの位置（すなわち、外部床部１０２の横方向の外縁部の位置）まで延びているが、他方の端部は、大梁１１Ａまでは延びておらず、途中の小梁１２Ａの位置まで延びている。本体部１３Ｂは、外部床部１０２の横方向の外縁部の延在方向に沿って延在している。具体的には、本体部１３Ｂは、外部床部１０２の外縁部を支持する大梁１１Ｂ上に延びており、当該大梁１１Ｂの上に組み上げられている。本体部１３Ｂの延在方向の一方の端部は、大梁１１Ｄの位置（すなわち、外部床部１０２の先端側の外縁部の位置）まで延びており、他方の端部は、外壁１０４まで延在しておらず、当該外壁１０４の手前側まで延びている。本体部１３Ａと本体部１３Ｂとは、外部床部１０２のコーナー部で連結されている。なお、当該コーナー部には、建物１００の主架構を構成するような柱は設けられていない。
【００２３】
控部１４Ａは、本体部１３Ａの大梁１１Ａ側の端部から、建物１００の内側へ向かって直角に延在している。控部１４Ａは、小梁１２Ａ上に延びており、当該小梁１２Ａの上に組み上げられている。控部１４Ａは、一方の端部が本体部１３Ａと連結されており、他方の端部は外壁や柱等の他部材とは連結されていないものとなっている。或いは当該端部は建物の主架構とは縁が切れているともいえる。控部１４Ｂは、本体部１３Ａの中途部から、建物１００の内側へ向かって直角に延在している。控部１４Ｂは、小梁１２Ｂ上に延びており、当該小梁１２Ｂの上に組み上げられている。控部１４Ｂは、一方の端部が本体部１３Ａと連結されており、他方の端部は外壁や柱等の他部材とは連結されていないものとなっている。或いは当該端部は建物の主架構とは縁が切れているともいえる。控部１４Ａ，１４Ｂは、長尺の本体部１３Ａを外側からの荷重に対して支持するためのものであり、外壁版５０一枚分程度に僅かに延びているものである。すなわち、控部１４Ａ，１４Ｂは、ベランダ１０１の空間を分断する程度の大きさを有するものではない。
【００２４】
本体部１３Ａ，１３Ｂは、梁２上に固設される複数の主支柱２１と、主支柱２１で支持される主横架材２２と、耐震要素２３と、を備える。また、控部１４Ａ，１４Ｂは、複数の主支柱２１に対向して設けられる控支柱２４と、控支柱２４と主支柱２１間に架け渡される控横架材２６と、耐震要素２７と、を備える。
【００２５】
大梁１１Ｃの中途部（小梁１２Ａが接合される位置）には、主支柱２１Ａが固設される。主支柱２１Ａは、本体部１３Ａと控部１４Ａとの角部に配置される。大梁１１Ｄの中途部（小梁１２Ｂが接合される位置）には、主支柱２１Ｂが固設される。主支柱２１Ｂは、本体部１３Ａと控部１４Ｂとの角部に配置される。大梁１１Ｄと大梁１１Ｂの角部には、主支柱２１Ｃが固設される。主支柱２１Ｃは、本体部１３Ａと本体部１３Ｂとの角部に配置される。大梁１１Ｂの中途部（柱Ｐよりも主支柱２１Ｃ側）には、主支柱２１Ｄが固設される。主支柱２１Ｄは、本体部１３Ｂの建物１００側の端部に配置される。小梁１２Ａの中途部には、主支柱２１Ａと対向するように、控支柱２４Ａが固設される。小梁１２Ｂの中途部には、主支柱２１Ｂと対向するように、控支柱２４Ｂが固設される。主支柱２１Ａ，２１Ｂ，２１Ｃ及び控支柱２４Ａ，２４Ｂの高さは、外壁部３の上端位置まで延びている。
【００２６】
隣り合う主支柱２１Ａと主支柱２１Ｂとの間には、主横架材２２Ａが架け渡される。主横架材２２Ａは、大梁１１Ｃ，１１Ｄの上方で、当該大梁１１Ｃ，１１Ｄと平行に延びている。隣り合う主支柱２１Ｂと主支柱２１Ｃとの間には、主横架材２２Ｂが架け渡される。主横架材２２Ｂは、大梁１１Ｃ，１１Ｄの上方で、当該大梁１１Ｃ，１１Ｄと平行に延びている。隣り合う主支柱２１Ｃと主支柱２１Ｄとの間には、主横架材２２Ｃが架け渡されている。主横架材２２Ｃは、大梁１１Ｂの上方で、当該大梁１１Ｂと平行に延びている。控支柱２４Ａと主支柱２１Ａとの間には、控横架材２６Ａが架け渡されている。控横架材２６Ａは、小梁１２Ａの上方で、当該小梁１２Ａと平行に延びている。控支柱２４Ｂと主支柱２１Ｂとの間には、控横架材２６Ｂが架け渡されている。控横架材２６Ｂは、小梁１２Ｂの上方で、当該小梁１２Ｂと平行に延びている。主横架材２２Ａ，２２Ｂ，２２Ｃ及び控横架材２６Ａ，２６Ｂは、主支柱２１Ａ，２１Ｂ，２１Ｃ，２１Ｄ及び控支柱２４Ａ，２４Ｂの上端に載置されるように設けられているため、外壁部３の上端位置で水平に延びるような配置となる。
【００２７】
図５及び図６に示すように、主横架材２２Ａ，２２Ｂ，２２Ｃは、主支柱２１Ａ，２１Ｂ，２１Ｃ，２１Ｄの外面よりも外方となる位置で外壁版５０をロッキング支持する外壁版支持部３１，３２と、外壁版支持部３１，３２の上端部から突出して外壁版５０の上端面５０ｂを覆う鍔部３３，３４と、下端側で外壁版支持部３１，３２同士を連結する底部３６と、を備える。主横架材２２Ａ，２２Ｂ，２２Ｃは、上方に開口するような断面ハット状の形状を有しており、上端側の開口部は、上端側で外壁版支持部３１，３２同士を連結する防水鋼板３７で覆われている。具体的には、外壁版支持部３１はベランダ１０１の外側に配置され、鍔部３３は、外壁版支持部３１の上端部からベランダ１０１の外側へ向かって水平に突出する。外壁版支持部３２はベランダ１０１の内側に配置され、鍔部３４は、外壁版支持部３２の上端部からベランダ１０１の内側へ向かって水平に突出する。ベランダ１０１の外側では、外壁版５０の裏面５０ａが外壁版支持部３１と接触するように支持されることで、外壁版５０が、主支柱２１Ａ，２１Ｂ，２１Ｃ，２１Ｄの外面よりも外方（ベランダ外側の側面よりもベランダ外側）となる位置でロッキング支持される。また、外壁版５０の上端面５０ｂは、鍔部３３で覆われる。ベランダ１０１の内側では、外壁版５０の裏面５０ａが外壁版支持部３２と接触するように支持されることで、外壁版５０が、主支柱２１Ａ，２１Ｂ，２１Ｃ，２１Ｄの外面よりも外方（ベランダ内側の側面よりも内側）となる位置でロッキング支持される。また、外壁版５０の上端面５０ｂは、鍔部３４で覆われる。控横架材２６Ａ，２６Ｂも主横架材２２Ａ，２２Ｂ，２２Ｃと同様の構成を有し、控支柱２４Ａ，２４Ｂの外面よりも外方となる位置で外壁版をロッキング支持する外壁版支持部３１，３２と、外壁版支持部３１，３２の上端部から突出して外壁版５０の上端面５０ｂを覆う鍔部３３，３４と、下端側で外壁版支持部３１，３２同士を連結する底部３６と、を備える。
【００２８】
図５を参照して、外壁版５０のロッキング支持構造について説明する。外壁版５０は、フレーム体４に相対回転可能に保持されている。具体的には、外壁版５０の上端側の部分における幅方向の中央位置に、一本のボルト５１が挿通される。ボルト５１は、外壁版支持部３１，３２に対してナット５２で固定される。このように上端部を一本のボルト５１で固定することにより、外壁版５０は、地震時などにボルト５１を軸として相対的に回転移動することができる。一方、外壁版５０の下端側は梁２によって支持されている。外壁版５０の下端面５０ｃは、梁２の上面に設けられた支持プレート５３に載置されている。梁２の支持プレート５３の上面には、上方へ突出すると共に梁２の長手方向に沿って延びる一対の支持片５４が形成されている。一方の支持片５４は、ベランダ外側に配置される外壁版５０の裏面５０ａと接触し、他方の支持片５４は、ベランダ内側に配置される外壁版５０の裏面５０ａと接触する。外壁版５０の裏面５０ａには、支持片５４を挟み込むように支持板５６が取り付けられると共に、当該支持板５６が外壁版５０に対してボルト５７で締結される。これによって、梁２の支持プレート５３に固定された支持片５４を、外壁版５０と支持板５６とで挟み込む構造となるため、外壁版５０の下端部が梁２に支持される。
【００２９】
主横架材２２Ａ，２２Ｂ，２２Ｃ及び控横架材２６Ａ，２６Ｂは、支柱の直上に載置される部分と、支柱間で直線状に延びる部分とで、別ピースに分けられていてもよい。例えば図４や図６に示すように、支柱の直上に載置されるピースＰＳ１（コーナー部の主支柱２１Ａ，２１Ｃのものは略Ｌ字状に二股に分かれ、中間部の主支柱２１Ｂのものは略Ｔ字状に三股に分かれる）と、本体部１３において直線状に延びるピースＰＳ２（本体部の長さにより適宜長さが変更される）と、控部１４において直線状に延びるピースＰＳ３（控部１４の長さを一定寸法に定めておけば、あらゆる部分の控部に流用可能となる）とで分けられていてもよい。これにより、外壁部３がどのような形状になっても、ピースＰＳ１，ＰＳ２，ＰＳ３同士の組み合わせによってあらゆる形状に対応することが可能になり、部品の共有化を図ることができる。
【００３０】
主横架材２２Ａ，２２Ｂ，２２Ｃ及び控横架材２６Ａ，２６Ｂと、主支柱２１Ａ，２１Ｂ，２１Ｃ，２１Ｄ及び控支柱２４Ａ，２４Ｂとは、取付金物４０を介して連結される。取付金物４０は、主横架材２２Ａ，２２Ｂ，２２Ｃ又は控横架材２６Ａ，２６Ｂを載置すると共に固定するための載置部４１と、主支柱２１Ａ，２１Ｂ，２１Ｃ，２１Ｄ又は控支柱２４Ａ，２４Ｂと連結される柱連結部４２と、耐震要素２３又は耐震要素２７の上端部を連結するための耐震要素連結部４３と、を備えている。
【００３１】
例えば、図６を参照して、主横架材２２Ｂと主横架材２２Ｃとが連結される角部に用いられる取付金物４０の構成について説明する。この取付金物４０は、主支柱２１Ｃから主横架材２２Ｂと同方向へ延びる載置部４１Ｂと、主支柱２１Ｃから主横架材２２Ｃと同方向へ延びる載置部４１Ｃと、を有している。載置部４１Ｂ，４１Ｃは、上面が主支柱２１Ｃの上端面と同一面となるように平板状に構成されている。また、強度を確保するため、載置部４１Ｂ，４１Ｃの幅方向の両縁は、下方に折り曲げられている。主横架材２２Ｂ，２２Ｃの底部３６は、主支柱２１Ｃの上端面及び載置部４１Ｂ，４１Ｃにそれぞれ載置され、ボルト接合によって固定される。載置部４１Ｂと載置部４１Ｃとの交差部分から、下方へ断面十字状のプレートが延びることによって、柱連結部４２と、耐震要素連結部４３が形成される。柱連結部４２は、直交する二枚のプレートから構成され、主支柱２１Ｃのベランダ内側の二面とボルト接合される。耐震要素連結部４３は、直交する二枚のプレートから構成され、載置部４１Ｂと同方向に延びるプレートには、耐震要素２３Ａの上端部がボルト接合され、載置部４１Ｃと同方向に延びるプレートには、耐震要素２３Ｂの上端部がボルト接合される。他の部分における取付金物４０も、同趣旨の構造を有している。主横架材２２Ａ，２２Ｂ及び控横架材２６Ｂが交わる主支柱２１Ｂの取付金物４０には、三方向へ載置部４１が設けられる。主支柱２１Ｄ及び控支柱２４Ａ，２４Ｂの取付金物４０には、一方向へ載置部４１が設けられる。また、耐震要素の上端部が取り付けられない部分における取付金物４０には、耐震要素連結部４３を設ける必要はない。
【００３２】
本体部１３の耐震要素２３は、一の主支柱２１から、隣り合う主支柱２１との間の何れかの位置に亘って設けられている。耐震要素２３は、斜材によって構成されている。本実施形態では、耐震要素２３Ａが、主支柱２１Ｃから、主支柱２１Ｂとの間の中途位置に亘って設けられている。耐震要素２３Ａの上端部は、主支柱２１Ｃに取り付けられた取付金物４０の耐震要素連結部４３に連結され、耐震要素２３Ａの下端部は、大梁１１Ｄの中途位置に設けられた斜材ブラケットに連結される。また、耐震要素２３Ｂが、主支柱２１Ｃから、主支柱２１Ｄに亘って設けられている。耐震要素２３Ｂの上端部は、主支柱２１Ｃに取り付けられた取付金物４０の耐震要素連結部４３に連結され、耐震要素２３Ａの下端部は、大梁１１Ｂ及び主支柱２１Ｄの下端に設けられた斜材ブラケットに連結される。
【００３３】
控部１４の耐震要素２７は、控支柱２４と主支柱２１に亘って設けられている。耐震要素２７は、斜材によって構成されている。本実施形態では、耐震要素２７Ａが、主支柱２１Ａから、控支柱２４Ａに亘って設けられている。耐震要素２７Ａの上端部は、主支柱２１Ａに取り付けられた取付金物４０の耐震要素連結部４３に連結され、耐震要素２７Ａの下端部は、小梁１２Ａ及び控支柱２４Ａの下端に設けられた斜材ブラケット２８に連結される（図４参照）。また、耐震要素２７Ｂが、主支柱２１Ｂから、控支柱２４Ｂに亘って設けられている。耐震要素２７Ｂの上端部は、主支柱２１Ｂに取り付けられた取付金物４０の耐震要素連結部４３に連結され、耐震要素２７Ｂの下端部は、小梁１２Ｂ及び控支柱２４Ｂの下端に設けられた斜材ブラケット２８に連結される。
【００３４】
本体部１３では、同一平面内の主支柱２１のうち、いずれか一方の端部側の主支柱２１にのみ耐震要素２３を設け、他方の端部側の主支柱や、中間部の主支柱には設けなくともよい。本実施形態では、本体部１３Ａでは、主支柱２１Ａ，２１Ｂ，２１Ｃ，２１Ｄのうち、一方の端部側の主支柱２１Ｃにのみ耐震要素２３Ａを設け、主支柱２１Ｂ，２１Ｃ，２１Ｄには設けられていない。本体部１３Ｂでは、主支柱２１Ｃのみに耐震要素２３Ｂが設けられている。控部１４には、いずれの位置にも、耐震要素２７を設けることが好ましい。
【００３５】
次に、フレーム体４を取り囲む包囲部６及び蓋部７について説明する。本実施形態では、外壁部３は、フレーム体４が包囲部６及び蓋部７によって露出しないように完全に覆われる構造となっているため、外壁部３が外部床部１０２に独立して立ち上がっているように見える。
【００３６】
包囲部６は、フレーム体４に支持されて外部床部１０２上に立ち上がる複数の外壁版５０（コーナープレートを含む）からなり、当該フレーム体４の前部（ベランダ外側）と背部（ベランダ内側）とに加えて側部（端部やコーナー部）を覆って当該フレーム体４を包囲する。図３に示すように、包囲部６は、フレーム体４の本体部１３を包囲する本体包囲部６１と、フレーム体４の控部１４を包囲する控包囲部６２と、を備える。本実施形態では、包囲部６は、本体部１３Ａを包囲する本体包囲部６１Ａと、本体部１３Ｂを包囲する本体包囲部６１Ｂと、控部１４Ａと包囲する控包囲部６２Ａと、控部１４Ｂを包囲する控包囲部６２Ｂと、を備えている。
【００３７】
本体包囲部６１は、主横架材２２にロッキング支持されて本体部１３の表側を覆う表側外壁版６３と、主横架材２２にロッキング支持されて本体部１３の裏側を覆う裏側外壁版６４と、主支柱２１に固定されて本体部１３の隅部を覆う役物部材６６と、を備える。また、控包囲部６２は、控横架材２６にロッキング支持されて控部１４の一方の側面を覆う一側外壁版６７と、該一側外壁版６７に対向した状態で控横架材２６にロッキング支持されて控部１４の他方の側面を覆う他側外壁版６８と、控支柱２４に固定されて控部１４の隅部を覆う役物部材６９と、を備える。
【００３８】
具体的に、本体部１３Ａを包囲する本体包囲部６１Ａは、本体部１３Ａの表側を覆うように、当該本体部１３Ａの延在方向に複数並設された表側外壁版６３Ａと、本体部１３Ａの裏側を覆うように延在方向に複数並設された裏側外壁版６４Ａと、主支柱２１Ａ，２１Ｃに固定されて本体部１３Ａの隅部を覆うコーナープレートからなる役物部材６６Ａと、を備えている。本体部１３Ｂを包囲する本体包囲部６１Ｂは、本体部１３Ｂの表側を覆うように、当該本体部１３Ｂの延在方向に複数並設された表側外壁版６３Ｂと、本体部１３Ｂの裏側を覆うように延在方向に複数並設された裏側外壁版６４Ｂと、主支柱２１Ｃ，２１Ｄに固定されて本体部１３Ｂの隅部を覆うコーナープレートからなる役物部材６６Ｂと、を備えている。なお、主支柱２１Ｃに固定されるコーナープレートは、役物部材６６Ａとして機能すると同時に、役物部材６６Ｂとしても機能する。
【００３９】
控部１４Ａを包囲する控包囲部６２Ａは、控部１４Ａの一方の側面（この部分ではベランダ外側）を覆う一枚の一側外壁版６７Ａと、該一側外壁版６７Ａに対向した状態で控部１４Ａの他方の側面（この部分ではベランダ内側）を覆う一枚の他側外壁版６８Ａと、控支柱２４Ａに固定されて控部１４Ａの隅部を覆う一対の役物部材６９Ａと、備えている。控部１４Ｂを包囲する控包囲部６２Ｂは、控部１４Ｂの一方の側面（控部１４Ａ側）を覆う一枚の一側外壁版６７Ｂと、該一側外壁版６７Ｂに対向した状態で控部１４Ｂの他方の側面（本体部１３Ｂ側）を覆う一枚の他側外壁版６８Ｂと、控支柱２４Ｂに固定されて控部１４Ｂの隅部を覆う一対の役物部材６９Ｂと、備えている。
【００４０】
蓋部７は、図５に示すように、主横架材２２及び控横架材２６の上端部を覆う笠木によって構成されている。この蓋部７は、フレーム体４の本体部１３Ａ，１３Ｂ及び控部１４Ａ，１４Ｂの全てに対して設けられている。これにより、フレーム体４の上端部の全領域を覆っている。
【００４１】
次に、本実施形態に係る外壁支持構造１の作用・効果について説明する。
【００４２】
本実施形態に係る外壁支持構造１によれば、フレーム体４は外部床部１０２を支持する梁２上に設置され、当該梁２を介してのみ主架構に連結される。フレーム体４を設けることができる梁２は、外部床部１０２の最外縁部を支持する大梁１１のみならず、外部床部１０２内側を支持する小梁１２であってもよい。従って、外部床部１０２の最外縁となる位置に設けられている梁２を利用する場合には最外縁上にフレーム体４が立設され、外部床部１０２の中ほどの梁２上にフレーム体４を設置する場合には、フレーム体４は、当該外部床部１０２のやや中ほどとなる位置に立設することができる。
【００４３】
例えば、図７（ｂ）に示す従来の構成の一例は、外壁部ＳＷが外部床部１０２の最外縁に沿った位置に全周に亘って設けられるものであって、且つ、外壁部ＳＷのコーナー部などは、建物の主架構である柱ＢＰで支持されている。すなわち、外部床部１０２を支持する梁のみならず、柱ＢＰを介して主架構と接続されていた。これに対し、本実施形態に係る外壁支持構造１では、外部床部１０２に対して自由な形状・位置に外壁部３を設けることができる。図７（ａ）に示すように、外部床部１０２の最外縁部に沿って本体部１３Ａ，１３Ｂを設けていても、本体部１３Ｂと反対側の外縁部には外壁部を設けずに開放されたような構造としてもよい。また、外部床部１０２が二点差線で示すような形状であった場合は、外部床部１０２の先端側の外縁部からセットバックした位置に外壁部３を設ける構造としてもよい。すなわち、本実施形態に係る外壁支持構造１を採用すれば、従来の如く建物の外壁と同一面内に外壁部を形成することができることはもちろん、建物外壁とは無関係の位置（セットバックした位置）に設置することも可能となる。また、当該フレーム体４に外壁版５０がロッキング支持されることとなるので、外壁版５０は、外部床部１０２上でロッキング可能となり、せいの高い（外部床部１０２を有する階の階高の半分よりも高い）外壁部３に入力される風荷重や地震等に起因する水平荷重は外壁部３内で受け流され、主架構に過大に荷重が入力されることを防止することができるものとなっている。
【００４４】
すなわち、本実施形態では、建物１００の躯体（主架構）とは別個にフレーム体４を外部床部１０２上に組み上げ、当該フレーム体４に外壁を支持させることで、躯体（主架構）から独立して外壁版５０をロッキング可能に支持した構造となっている。また、外壁版５０の高さは、通常の腰壁の１．５〜１．８倍程度の高さを有するものであるので、重量が増すと共に上端部から下端部までの長さが従来よりも長くなくので、外壁版５０に入力される荷重は大きくなることが考えられる。このような課題に対しては、当該外壁版５０を支持するために主架構を組み上げてそれにロッキング支持させることが通常であるが、かかる構成は大掛かりであり、主架構相当の梁、柱が現れるので、意匠上も見栄えが悪い。見栄えが悪いのみならず、梁と柱が現れてしまうので、開放的な空間を形成することが困難となる。本実施形態に係る外壁支持構造１では、主架構の梁上に主架構とは別個のフレーム体４を組み上げることとし、これによって外壁部３を主架構から独立して立ち上げることとしている。また、他の外壁よりもせいが低いため、外壁版５０のロッキングの際の周期も他の部分における外壁版と異なるが（例えば高さの異なる外壁同士が隣接してロッキング可能に支持されていると、ロッキング支点の位置も異なり、周期も異なり、互いに干渉しあってしまう虞がある）、躯体の主架構から独立したフレーム体４にロッキング可能に支持しているので、他の外壁（主架構）から縁が切れた状態で独自にロッキングし、影響を及ぼしあわない構造となっている。
【００４５】
また、本実施形態に係る外壁支持構造１において、フレーム体４は、外部床部１０２の外縁部の延在方向に沿って延在する長尺な本体部１３と、本体部１３の端部又は中途部の１又は複数の位置から有角状に延在する控部１４と、を備えている。この構造によれば、本体部１３の面外方向に作用する風荷重に対し控部１４で抵抗することができ、外壁部３の支持力を高めることができるものとなる。
【００４６】
また、本実施形態に係る外壁支持構造１において、フレーム体４の本体部１３は、梁２上に固設される複数の主支柱２１と、主支柱２１間に支持され、梁２の上方で延在する主横架材２２と、を備えている。また、控部１４は、複数の主支柱２１に対向して設けられる控支柱２４と、控支柱２４と主支柱２１間に架け渡される控横架材２６と、を備えている。主横架材２２と控横架材２６は、主支柱２１や控支柱２４の前面よりも前方となる位置で外壁版５０をロッキング支持している。この構造によれば、主支柱２１や控支柱２４の前面を外壁版５０によって覆うことができるものとなり、その結果、外壁版５０を主横架材２２や控横架材２６に沿って連続的に並べることによってフレーム体４を複数の外壁版５０で覆うことができるものとなる。
【００４７】
また、本実施形態に係る外壁支持構造１において、控部１４は、控支柱２４と主支柱２１に亘って設けられる耐震要素２７を備えている。この構造によれば、控部１４の剛性を高めることができるものとなる。
【００４８】
また、本実施形態に係る外壁支持構造１において、フレーム体４の本体部１３は、主支柱２１に亘って設けられる耐震要素２３を備えている。この構造によれば、本体部１３の面内方向の剛性をさらに高めることができるものとなる。
【００４９】
また、本実施形態に係る外壁支持構造１において、主横架材２２と控横架材２６は、外壁版５０の上端部裏面５０ａに対向して外壁版支持部３１，３２を平板状に備えると共に、外壁版支持部３１，３２の上端部から突出して外壁版５０の上端面５０ｂを覆う鍔部３３，３４を備えている。この構造によれば、主横架材２２と控横架材２６は長手方向に鍔部３３，３４を備えることとなり、面外方向への曲げに対する抵抗力が高められる。これによって、外壁版５０の表面に垂直に作用する風荷重に有効に抗することができ、その結果、当該横架材を支持する控部や支柱の数を削減することができるものとなっている。
【００５０】
また、本実施形態に係る外壁支持構造１によれば、フレーム体４が外部床部１０２上に立上り、包囲部６よってフレーム体４の周囲を覆って外壁版５０群が設けられると共に、フレーム体４の上部は蓋部７で覆われることとなる。これにより、外部床部１０２上には外壁版５０を支持する構造であるフレーム体４は露出しないものとなる。この結果、外壁部３のみで外部床部１０２上に立ち上がっているように視認できるものとなる。
【００５１】
すなわち、本実施形態では、フレーム体４の表部及び裏部のみならず、両隅部（側部）と上部まで覆うこととし、これによって、フレーム体４の上端部（ロッキング上端部）側を建物１００の主架構に連結させず、主架構から独立させてフレーム形成及び外壁版のロッキング支持を実現している。主架構から独立してフレーム体４を組み上げる構造を、フレーム体４が側部まで外壁版で覆われ、完全に隠れるようにする包囲部６を採用することで実現している。
【００５２】
また、本実施形態に係る外壁支持構造１において、包囲部６は、本体部１３を包囲する本体包囲部６１と、控部１４を包囲する控包囲部６２と、を備えている。このような構造によれば、本体部１３のみならず控部１４も外壁部３の控包囲部６２に覆われるものとなるので、控部１４を設けてもなお外壁部３のみで外壁部上に自立した状態で独立して立ち上がっているように視認できるものとなる。
【００５３】
また、本実施形態に係る外壁支持構造１において、本体包囲部６１は、主横架材２２にロッキング支持されて本体部１３の表側を覆う表側外壁版６３と、該表側外壁版６３に対向した状態で主横架材２２にロッキング支持されて本体部１３の裏側を覆う裏側外壁版６４と、主支柱２１に固定されて本体部１３の隅部を覆う役物部材６６と、を備えている。この構造によれば、フレーム体４の本体部１３に支持される本体包囲部６１の表側外壁版６３と裏側外壁版６４とが主横架材２２にロッキング支持されるので、当該本体部１３に水平力が入力される場合であっても、これら外壁版６３，６４はロッキングして当該水平力を受けが流すことができ、外壁版６３，６４の破壊を抑制することができる。また、側部には役物部材６６が主支柱２１に固定された状態で設けられているので、上述の如き水平力が入力される場合でも、役物部材６６は主支柱２１の変位と一体となって変位することができ、柱の変位に伴う破壊も抑制されるものとなっている。
【００５４】
また、本実施形態に係る外壁支持構造１において、控包囲部６２は、控横架材２６にロッキング支持されて控部１４の一方の側面を覆う一側外壁版６７と、該一側外壁版６７に対向した状態で控横架材２６にロッキング支持されて控部１４の他方の側面を覆う他側外壁版６８と、控支柱２４に固定されて控部１４の隅部を覆う役物部材６９と、を備えている。この構造によれば、フレーム体４の控部１４に支持される控包囲部６２の一側外壁版６７と他側外壁版６８とが控横架材２６にロッキング支持されるので、当該控部１４に水平力が入力される場合であっても、これら外壁版６７，６８はロッキングして当該水平力を受けが流すことができ、外壁版６７，６８の破壊を抑制することができる。また、隅部には役物部材６９が控支柱２４に固定された状態で設けられているので、上述の如き水平力が入力される場合でも、役物部材６９は控支柱２４の変位と一体となって変位することができ、柱の変位に伴う破壊も抑制されるものとなっている。
【００５５】
本発明は、上述の実施形態に限定されるものではない。本発明の趣旨の範囲内で、外壁部の形状を適宜変更してもよい。例えば、本体部の長さや形状を変更してもよく、控部の数や位置、或いは本体部に対する控部の取付き角度を変更してもよい。
【００５６】
例えば図８に示すように、本体部２１３が複数位置（一箇所だけでもよい）で平面視クランク状に折れ曲がって形成されているような外壁支持構造２００を採用してもよい。外壁支持構造２００は、ベランダの外縁部の三辺に沿って本体部２１３Ａ，２１３Ｂ，２１３Ｃを有しており、最も長尺となる本体部２１３Ｂが複数箇所でクランク状に折れ曲がっている。クランク形状の角部に主支柱２２１が立設されており、本体部２１３Ｂの各面に対して一つずつ耐震要素２２３が設けられている。本体部２１３Ａ，２１３Ｃの建物側の端部は建物の外壁から完全に離間しており、それぞれ控部２１４が外部床部１０２の内側へ向かって延びている。このような本体部２１３がクランク状に折れ曲がった構造によれば、本体部２１３が２方向の面を有することとなるので、本体部２１３自体の剛性を高めることができ、控部の数を削減することができるものとなる。
【００５７】
また、外壁版やコーナープレートの配置パターンや大きさも一例に過ぎず、適宜変更してもよい。
【符号の説明】
【００５８】
１，２００…外壁支持構造、２…梁、３…外壁部、４…フレーム体、６…包囲部、７…蓋部、１３，２１３…本体部、１４，２１４…控部、２１，２２１…主支柱、２２…主横架材、２３，２２３…耐震要素、２４，２２４…控支柱、２６…控横架材、２７，２２７…耐震要素、３１，３２…外壁版支持部、３３，３４…鍔部、５０…外壁版、６１…本体包囲部、６２…控包囲部、６３…表側外壁版、６４…裏側外壁版、６６…役物部材、６７…一側外壁版、６８…他側外壁版、６９…役物部材、１００…建物、１０２…外部床部。
【図１】
0005948038.tif 000002
【図２】
0005948038.tif 000003
【図３】
0005948038.tif 000004
【図４】
0005948038.tif 000005
【図５】
0005948038.tif 000006
【図６】
0005948038.tif 000007
【図７】
0005948038.tif 000008
【図８】
0005948038.tif 000009